(57)【要約】
【課題】  本考案は、洗髪が困難な状態の高齢者や病人がベッドや布団に寝たままの状態で洗髪を行う場合、シャンプーや洗髪液が周辺に飛び散る恐れがある。それら水分を急速にしかも簡単に吸収する、水分処理用吸水シートを開発しようとするものである。本考案は、寝具に寝たままの状態で手軽にしかも安心して洗髪することができ、また、寝具や衣類を濡らすことへの介護者の不安感を除去しようとするものである。
【解決手段】  本考案は、透水性の表面シートと、不浸透性の裏面シートの間に親水性繊維および綿状パルプ、吸水ポリマーを含む吸収材を介在して構成され、シートの周辺および首回り部分に複数本例えば３乃至５本の糸状のゴムを配置してギャザー状にすることと、前記表面シートの周囲に立体ギャザーを設けたことを特徴とする水分処理用吸水シートである。
【選択図】  図１
0003101097.tif 000002
【実用新案登録請求の範囲】
【請求項１】
透水性の表面シートと、不浸透性の裏面シートの間に親水性繊維および綿状パルプ、吸水ポリマーを含む吸収材を介在して構成され、シートの周辺よび首回り部分に複数本の糸状のゴムを配置してギャザー状にすることと、前記表面シートの周囲に立体ギャザーを設けたことを特徴とする水分処理用吸水シート。
【請求項２】
前記吸水シートは変形型ドーナツ状の形状から成り、首回りに無理なく装着できることを特徴とする吸水シート。
【請求項３】
透水性の表面シートと、不浸透性の裏面シートの間に介在される親水性繊維および綿状パルプ、吸水ポリマーを含む吸収材の量を、周辺および首回りに当たる部分を他の部分に比べて厚くすることを特徴とする吸水シート。
【考案の詳細な説明】
【技術分野】
【０００１】  本考案は、ベッドや布団に寝たままの状態で洗髪を行う際、シャンプー液や洗髪液から成る水分を一気に吸水し、寝具や衣類などへの水洩れや飛沫防止を行う水分処理用吸水シートに係る。
【背景技術】
【０００２】  現時点では、ベッドや布団に寝たままの状態で洗髪を行うための専用の吸水シートは見あたらず、現状では紙おむつで代用している。【０００３】  また、上半身の下にビニールを敷き、頭部の位置を下げて水分をビニールからバケツなどの容器に流し込む方法もとられている。【０００４】  しかしながら、頭部が下がり利用者が不自然な姿勢を強いられるために苦しく、水分がビニールの外に流れ出る可能性も大きい。
【考案の開示】
【考案が解決しようとする課題】
【０００５】  本考案は、洗髪が困難な状態の高齢者や病人がベッドや布団に寝たままの状態で洗髪を行う場合、シャンプーや洗髪液が周辺に飛び散る恐れがあるので、それら水分を急速に、しかも簡単に吸収できる、水分処理用吸水シートを開発しようとするものである。【０００６】  本考案は、寝具に寝たままの状態で手軽に、しかも安心して洗髪することができ、また、寝具や衣類を濡らすことへの介護者の不安感を除去しようとするものである。
【課題を解決するための手段】
【０００７】  透水性の表面シートと、不浸透性の裏面シートの間に親水性繊維および綿状パルプ、吸水ポリマーを含む吸収材を介在して構成される水分処理用吸水シートを頭部を取り囲むような状態で頭の下に敷いて洗髪することにより、身体や寝具、衣類への水分の滲出を防ぐものである。【０００８】  吸収材の綿状パルプ、吸水ポリマーを二層にすることで、吸水力を高めることができる。【０００９】  （請求項１に記載した考案の構成）
請求項１に記載した考案は、透水性の表面シートと、不浸透性の裏面シートの間に親水性繊維および綿状パルプ、吸水ポリマーを含む吸収材を介在して構成される吸水シートである。シートの周辺および首回り部分に複数本の糸状のゴムを配置してギャザー状にすることと、前記表面シートの周囲に立体ギャザーを設けたところに特徴がある。【００１０】  （請求項１に記載した考案の作用効果）
上記の構成を採用することにより、外部への水洩れを防ぐことができる。【００１１】  （請求項２に記載した考案の構成）
請求項２に記載した考案は、上記した変形型ドーナツ状の形状から成り、首回りに無理なく装着できることに特徴がある。【００１２】  （請求項２に記載した考案の作用効果）
上記の構成を採用することにより、首回りに無理なく装着することができる。【００１３】  （請求項３に記載した考案の構成）
請求項３に記載した考案は、透水性の表面シートと、不浸透性の裏面シートの間に介在される親水性繊維および綿状パルプ、吸水ポリマーを含む吸収材の量を、周辺および首回りに当たる部分を他の部分に比べて厚くすることに特徴がある。【００１４】  （請求項３に記載した考案の作用効果）
上記の構成を採用することにより、外部への水漏れを防ぐことができる。
【考案の効果】
【００１５】  本考案によれば、洗髪が困難な状態の高齢者や病人がベッドや布団に寝たままの状態で洗髪を行う場合、吸水シートを頭部の下に敷き、首の回りを固定テープで固定する。吸水シートは表面並びに裏面シートでサンドウィッチ状に挟まれた吸収材から成っているので、周辺に飛び散るシャンプーや洗髪液などの水分を急速にしかも簡単に吸収し、外部に滲出するのを防ぐことができる。【００１６】  変形型ドーナツ状に開けた首回り部分から外側に向けて一部を切り離している。使用時はその両部を体の前で重ね合わせて固定テープでとめることで、首回りに無理なく自然にフィットできる。【００１７】  また、吸水シートの周囲及び首回りに当たる部分に複数本例えば３乃至５本の糸状のゴムを配置してギャザー状にしてあるので、外部への水漏れを防ぐ。【００１８】  さらに、表面シートの周辺および首回りに当たる部分を立体ギャザーにしてあるので、水分が外部に滲出するを防ぐ効果を高める。【００１９】  透水性の表面シートと、不浸透性の裏面シートの間に介在される綿状パルプおよび吸水ポリマーを含む吸収材を、周辺および首回りに当たる部分を他の部分に比べて厚く配置することにより、水分が外部に滲出するを防ぐ効果を高める。【００２０】  以上の構成により、寝たきりの高齢者や病人がいつでも寝たままで洗髪することができ、快適な生活を楽しむことができる。また介護者にとっても手軽に使えるため洗髪作業の負担が軽くなる。【００２１】  本水分処理用吸水シートは利用者と接触状態にあり、シャンプー時において飛沫するシャンプーの泡や洗髪液を即座に吸収することにより、利用者が寝たままの状態でも寝具や衣類への洗髪液等の洩れを完全に防止することができる。これにより自宅で寝たきりの高齢者や病人の洗髪を介護者が不安なく簡単に行うことが可能になり、生活環境を向上することができる。
【考案を実施するための最良の形態】
【００２２】  （全体の構成）
図１が示すように、本考案による吸水シート１は、変形型ドーナツ状に開けた首回り部分から外側に向けて一部が切り離されている。使用時はその両部を体の前で重ね合わせて固定テープでとめることで、首回りに無理なく自然にフィットする。また、使用中のズレを防ぐ。吸水シート１は、同一部分で図１と同一符号で示す図２に詳細に示すように、表面シート２と、裏面シート３との間にサンドウィッチ状に挟まれた吸収材４を備えている。吸収材４は、親水性繊維５と綿状パルプ６、６ａと、吸水ポリマー７、７ａとから成る。吸水ートの周囲および首回りに当たる部分に、表面シート２と裏面シート３の間に糸状のゴ厶１２を配置してサイドギャザー１０にしてある。また、表面シート２の周囲および首回りの部分を径の周辺を立体ギャザー１１にしてある。変形型ドーナツ状に開けた首回りの部分から外側に向けて一部切り離してある。使用時はその両部を体の前で重ね合わせて固定テープ８、９で固定する。
【実施例】
【００２３】  本考案に係る水分吸収シートの実施例を図面を参照して説明する。【００２４】  図１〜図２は、本考案の一実施例としての水分処理用吸収シートを示すものである。【００２５】  図１が示すように、本考案による吸水シート１は、変形型ドーナツ状に開けた首回り部分から外側に向けて一部が切り離されている。使用時はその両部を体の前で重ね合わせて固定テープでとめることで、首回りに無理なく自然にフィットする。また、使用中のズレを防ぐ。【００２６】  吸水シート１は、同一部分で図１と同一符号で示す図２に詳細に示すように、表面シート２と、裏面シート３との間にサンドウィッチ状に挟まれた吸収材４を備えている。吸収材４は、親水性繊維５と綿状パルプ６、６ａと、吸水ポリマー７、７ａとから成る。【００２７】  吸水シートの周囲および首回りに当たる部分に、表面シート２と裏面シート３の間に糸状のゴム１２を配置してサイドギャザー１０にしてある。また、表面シート２の周囲および首回りの部分を径の周辺を立体ギャザー１１にしてある。【００２８】  変形型ドーナツ状に開けた首回りの部分から外側に向けて一部切り離してある。使用時はその両部を体の前で重ね合わせて固定テープ８、９で固定する。
【図面の簡単な説明】
【００２９】
【図１】本考案が、吸水シートを示す平面図である。
【図２】本考案が、吸水シートを示す斜視図である。
【符号の説明】
【００３０】１        吸水シート
２        表面シート
３        裏面シート
４        吸収材
５        親水性繊維
６、６ａ  綿状パルプ
７、７ａ  吸水ポリマー
８        固定テープ（表面）
９        固定テープ（裏面）
１０      サイドギャザー
１１      立体ギャザー
１２      糸状ゴム
【図１】
0003101097.tif 000003
【図２】
0003101097.tif 000004
【手続補正書】
【提出日】平成15年11月10日(2003.11.10)
【手続補正１】
【補正対象書類名】実用新案登録請求の範囲
【補正対象項目名】請求項２
【補正方法】変更
【補正の内容】
【請求項２】
表面シート、裏面シートおよび吸収材が介在された変形型ドーナツ状の形状から成り、首周りに無理なく装着できることを特徴とする請求項１に記載の水分処理用吸水シート。